【手続補正書】
【提出日】平成20年7月25日(2008.7.25)
【手続補正１】
【補正対象書類名】特許請求の範囲
【補正対象項目名】全文
【補正方法】変更
【補正の内容】
【特許請求の範囲】
【請求項１】
被写体を撮像する撮像手段と、
前記撮像手段による被写体の撮影を制御する撮影制御手段と、
音を集音するマイクロホンと、
前記マイクロホンにより集音された音の音声データを、記録手段の空き容量に応じて変動することのない単位時間当たり一定のデータ量で前記記録手段に記録する録音手段と、
ユーザが音声録音の予定時間を入力するための入力手段と、
前記入力手段により入力された時間を音声録音時間として設定する設定手段と、
前記設定手段により設定された音声録音時間及び前記記録手段の空き容量に基づいて撮影の撮影間隔を算出する算出手段と、
を備えたことを特徴とする撮像装置。
【請求項２】
前記記録手段の現在の空き容量を判定する判定手段と、
前記判定手段により判定された現在の空き容量から前記設定手段により設定された音声録音時間に必要なデータ容量を減算して、前記記録手段の空き容量を推定する推定手段と、
を備え、
前記算出手段は、
前記設定手段により設定された音声録音時間及び前記推定手段により推定された前記記録手段の空き容量に基づいて、撮影の撮影間隔を算出することを特徴とする請求項１記載の撮像装置。
【請求項３】
前記算出手段は、
前記記録手段の空き容量に基づいて撮影の撮影回数を算出する回数算出手段を含み、前記設定手段により設定された音声録音時間及び前記回数算出手段により算出された撮影回数に基づいて撮影の撮影間隔を算出し、
前記回数算出手段により算出された撮影回数に基づいて、残り撮影回数を表示手段に表示させる第１の表示制御手段を備えたことを特徴とする請求項１又は２記載の撮像装置。
【請求項４】
前記算出手段により算出された撮影間隔に基づいて、次の撮影タイミングを前記表示手段に表示させる第２の表示制御手段を備えたことを特徴とする請求項１乃至３の何れかに記載の撮像装置。
【請求項５】
前記撮影制御手段は、
前記算出手段により算出された撮影間隔で被写体の静止画撮影を制御する静止画撮影制御手段を含むことを特徴とする請求項１乃至４の何れかに記載の撮像装置。
【請求項６】
ユーザに対して撮影タイミングが到来したことを報知する報知手段を備えたことを特徴とする請求項１乃至５の何れかに記載の撮像装置。
【請求項７】
被写体を撮像する撮像手段と、
前記撮像手段による被写体の撮影を制御する撮影制御手段と、
音を集音するマイクロホンと、
前記マイクロホンにより集音された音の音声データを記録手段に記録する録音手段と、
ユーザが音声録音の予定時間を記録開始前に入力するための入力手段と、
前記入力手段により入力された時間を音声録音時間として設定する設定手段と、
前記記録手段の現在の空き容量から前記設定手段により設定された音声録音時間に必要なデータ容量を減算して、前記記録手段の空き容量を記録開始前に推定する推定手段と、
を備えたことを特徴とする撮像装置。
【請求項８】
前記推定手段により推定された空き容量に基づいて撮影回数を算出する回数算出手段と、
前記回数算出手段により算出された撮影回数に基づいて、残り撮影回数を表示手段に表示させる第１の表示制御手段と、
を備えたことを特徴とする請求項７記載の撮像装置。
【請求項９】
前記撮影制御手段は、
前記回数算出手段により算出された撮影回数分の撮影を行なった場合は、被写体の撮影を禁止する禁止手段を含むことを特徴とする請求項３又は８記載の撮像装置。
【請求項１０】
前記回数算出手段により算出される撮影回数を所定回数以下に制限する制限手段を備えたことを特徴とする請求項８又は９記載の撮像装置。
【請求項１１】
前記算出手段により算出される撮影間隔を所定間隔以上に制限する制限手段を備えたことを特徴とする請求項１乃至６の何れかに記載の撮像装置。
【請求項１２】
マイクロホンにより集音された音が無音状態か否かを検出する検出手段を備え、
前記録音手段は、
前記検出手段により集音された音が無音状態と検出した場合には、該マイクロホンにより集音された音の音データの記録を停止する停止手段を含み、
前記推定手段は、
前記停止手段により該マイクロホンにより集音された音の音データの記録が停止された場合には、前記設定手段により設定された音声録音時間に必要なデータ容量を再計算して、前記記録手段の空き容量を再推定することを特徴とする請求項２又は７記載の撮像装置。
【請求項１３】
前記回数算出手段は、
前記記録手段の空き容量と電池の残り電池残量とを勘案して、前記設定手段により設定された音声録音時間、及び、前記記録手段の空き容量又は電池の残り電池残量に基づいて撮影回数を算出することを特徴とする請求項３又は８記載の撮像装置。
【請求項１４】
前記算出手段は、
前記記録手段の空き容量と電池の残り電池残量とを勘案して、前記設定手段により設定された音声録音時間、及び、前記記録手段の空き容量又は電池の残り電池残量に基づいて撮影間隔を算出することを特徴とする請求項１記載の撮像装置。
【請求項１５】
前記回数算出手段、前記算出手段は、
電池の残り電池残量に基づいて撮影回数又は撮影間隔を算出する場合は、電池の残り電池残量から、前記設定手段により設定された音声録音時間に必要な電池残量を減算し、該減算後の電池容量から撮影回数又は撮影間隔を算出することを特徴とする請求項１３又は１４記載の撮像装置。
【請求項１６】
撮像素子による被写体の撮影を制御する撮影処理と、
マイクロホンにより集音された音の音声データを、記録媒体の空き容量に応じて変動することのない単位時間当たり一定のデータ量で前記記録媒体に記録する録音処理と、
ユーザによって入力された時間を音声録音時間として設定する設定処理と、
前記設定処理により設定された音声録音時間及び前記記録媒体の空き容量に基づいて撮影の撮影間隔を算出する算出処理と、
を含み、上記各処理をコンピュータで実行させることを特徴とするプログラム。
【請求項１７】
撮像素子による被写体の撮影を制御する撮影処理と、
マイクロホンにより集音された音の音声データを記録媒体に記録する録音処理と、
ユーザによって記録開始前に入力された時間を音声録音時間として設定する設定処理と、
前記記録媒体の現在の空き容量から前記設定処理により設定された音声録音時間に必要なデータ容量を減算して、前記記録媒体の空き容量を記録開始前に推定する推定処理と、
を含み、上記各処理をコンピュータで実行させることを特徴とするプログラム。
【手続補正２】
【補正対象書類名】明細書
【補正対象項目名】０００６
【補正方法】変更
【補正の内容】
【０００６】
上記目的達成のため、請求項１記載の発明による撮像装置は、被写体を撮像する撮像手段と、前記撮像手段による被写体の撮影を制御する撮影制御手段と、音を集音するマイクロホンと、前記マイクロホンにより集音された音の音声データを、記録手段の空き容量に応じて変動することのない単位時間当たり一定のデータ量で前記記録手段に記録する録音手段と、ユーザが音声録音の予定時間を入力するための入力手段と、前記入力手段により入力された時間を音声録音時間として設定する設定手段と、前記設定手段により設定された音声録音時間及び前記記録手段の空き容量に基づいて撮影の撮影間隔を算出する算出手段とを備えたことを特徴とする。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】変更
【補正の内容】
【００１２】
また、例えば、請求項６に記載されているように、ユーザに対して撮影タイミングが到来したことを報知する報知手段を備えるようにしてもよい。
【手続補正５】
【補正対象書類名】明細書
【補正対象項目名】００１３
【補正方法】変更
【補正の内容】
【００１３】
上記目的達成のため、請求項７記載の発明による撮像装置は、被写体を撮像する撮像手段と、前記撮像手段による被写体の撮影を制御する撮影制御手段と、音を集音するマイクロホンと、前記マイクロホンにより集音された音の音声データを記録手段に記録する録音手段と、ユーザが音声録音の予定時間を記録開始前に入力するための入力手段と、前記入力手段により入力された時間を音声録音時間として設定する設定手段と、前記記録手段の現在の空き容量から前記設定手段により設定された音声録音時間に必要なデータ容量を減算して、前記記録手段の空き容量を記録開始前に推定する推定手段とを備えたことを特徴とする。
【手続補正６】
【補正対象書類名】明細書
【補正対象項目名】００１４
【補正方法】変更
【補正の内容】
【００１４】
また、例えば、請求項８に記載されているように、前記推定手段により推定された空き容量に基づいて撮影回数を算出する回数算出手段と、前記回数算出手段により算出された撮影回数に基づいて、残り撮影回数を表示手段に表示させる第１の表示制御手段とを備えるようにしてもよい。
【手続補正７】
【補正対象書類名】明細書
【補正対象項目名】００１５
【補正方法】変更
【補正の内容】
【００１５】
また、例えば、請求項９に記載されているように、前記撮影制御手段は、
前記回数算出手段により算出された撮影回数分の撮影を行なった場合は、被写体の撮影を禁止する禁止手段を含むようにしてもよい。
【手続補正８】
【補正対象書類名】明細書
【補正対象項目名】００１６
【補正方法】変更
【補正の内容】
【００１６】
また、例えば、請求項１０に記載されているように、前記回数算出手段により算出される撮影回数を所定回数以下に制限する制限手段を備えるようにしてもよい。
【手続補正９】
【補正対象書類名】明細書
【補正対象項目名】００１７
【補正方法】変更
【補正の内容】
【００１７】
また、例えば、請求項１１に記載されているように、前記算出手段により算出される撮影間隔を所定間隔以上に制限する制限手段を備えるようにしてもよい。
【手続補正１０】
【補正対象書類名】明細書
【補正対象項目名】００１８
【補正方法】変更
【補正の内容】
【００１８】
また、例えば、請求項１２に記載されているように、マイクロホンにより集音された音が無音状態か否かを検出する検出手段を備え、
前記録音手段は、
前記検出手段により集音された音が無音状態と検出した場合には、該マイクロホンにより集音された音の音データの記録を停止する停止手段を含み、
前記推定手段は、
前記停止手段により該マイクロホンにより集音された音の音データの記録が停止された場合には、前記設定手段により設定された音声録音時間に必要なデータ容量を再計算して、前記記録手段の空き容量を再推定するようにしてもよい。
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】変更
【補正の内容】
【００２０】
また、例えば、請求項１３に記載されているように、前記回数算出手段は、
前記記録手段の空き容量と電池の残り電池残量とを勘案して、前記設定手段により設定された音声録音時間、及び、前記記録手段の空き容量又は電池の残り電池残量に基づいて撮影回数を算出するようにしてもよい。
【手続補正１３】
【補正対象書類名】明細書
【補正対象項目名】００２１
【補正方法】変更
【補正の内容】
【００２１】
また、例えば、請求項１４に記載されているように、前記算出手段は、
前記記録手段の空き容量と電池の残り電池残量とを勘案して、前記設定手段により設定された音声録音時間、及び、前記記録手段の空き容量又は電池の残り電池残量に基づいて撮影間隔を算出するようにしてもよい。
【手続補正１４】
【補正対象書類名】明細書
【補正対象項目名】００２２
【補正方法】変更
【補正の内容】
【００２２】
また、例えば、請求項１５に記載されているように、前記回数算出手段、前記算出手段は、
電池の残り電池残量に基づいて撮影回数又は撮影間隔を算出する場合は、電池の残り電池残量から、前記設定手段により設定された音声録音時間に必要な電池残量を減算し、該減算後の電池容量から撮影回数又は撮影間隔を算出するようにしてもよい。
【手続補正１５】
【補正対象書類名】明細書
【補正対象項目名】００２３
【補正方法】変更
【補正の内容】
【００２３】
上記目的達成のため、請求項１６記載の発明によるプログラムは、撮像素子による被写体の撮影を制御する撮影処理と、マイクロホンにより集音された音の音声データを、記録媒体の空き容量に応じて変動することのない単位時間当たり一定のデータ量で前記記録媒体に記録する録音処理と、ユーザによって入力された時間を音声録音時間として設定する設定処理と、前記設定処理により設定された音声録音時間及び前記記録媒体の空き容量に基づいて撮影の撮影間隔を算出する算出処理とを含み、上記各処理をコンピュータで実行させることを特徴とする。
【手続補正１６】
【補正対象書類名】明細書
【補正対象項目名】００２４
【補正方法】変更
【補正の内容】
【００２４】
上記目的達成のため、請求項１７記載の発明によるプログラムは、撮像素子による被写体の撮影を制御する撮影処理と、マイクロホンにより集音された音の音声データを記録媒体に記録する録音処理と、ユーザによって記録開始前に入力された時間を音声録音時間として設定する設定処理と、前記記録媒体の現在の空き容量から前記設定処理により設定された音声録音時間に必要なデータ容量を減算して、前記記録媒体の空き容量を記録開始前に推定する推定処理とを含み、上記各処理をコンピュータで実行させることを特徴とする。
【手続補正１７】
【補正対象書類名】明細書
【補正対象項目名】００２５
【補正方法】変更
【補正の内容】
【００２５】
請求項１記載の発明によれば、算出された撮影間隔に基づいて撮影することにより、残り記録容量を意識しながら撮影しなくてすむ。また、入力した予定録音時間が経過する前に残り記録容量が無くなることもなく、ちゃんと予定した録音時間の録音を行なうことができる。
また、撮影時刻にしたがって撮影することにより、一定の時間間隔で撮影することができ、録音中の状況を全体に亘って撮影することができる。
【手続補正１８】
【補正対象書類名】明細書
【補正対象項目名】００２６
【補正方法】変更
【補正の内容】
【００２６】
請求項２記載の発明によれば、入力した予定録音時間が経過する前に残り記録容量が無くなることがなく、ちゃんと予定した録音時間の録音を確実に行なうことができる。
【手続補正１９】
【補正対象書類名】明細書
【補正対象項目名】００２７
【補正方法】変更
【補正の内容】
【００２７】
請求項３記載の発明によれば、ユーザは残りの撮影回数を視認することができる。
【手続補正２０】
【補正対象書類名】明細書
【補正対象項目名】００２８
【補正方法】変更
【補正の内容】
【００２８】
請求項４記載の発明によれば、ユーザは次の撮影時刻が何時かを認識することができる。
【手続補正２１】
【補正対象書類名】明細書
【補正対象項目名】００２９
【補正方法】変更
【補正の内容】
【００２９】
請求項５記載の発明によれば、算出された撮影間隔で静止画撮影を自動的に行なうことができ、入力した予定録音時間が経過する前に残り記録容量が無くなることもなく、ちゃんと予定した録音時間の録音を行なうことができる。
また、撮影時刻にしたがって撮影することにより、一定の時間間隔で撮影することができ、録音中の状況を全体に亘って撮影することができる。
【手続補正２２】
【補正対象書類名】明細書
【補正対象項目名】００３０
【補正方法】削除
【補正の内容】
【手続補正２３】
【補正対象書類名】明細書
【補正対象項目名】００３１
【補正方法】変更
【補正の内容】
【００３１】
請求項６記載の発明によれば、ユーザは、撮影時刻が到来したことを認識することができ、撮影時刻にしたがって撮影することにより、入力した予定録音時間が経過する前に残り記録容量が無くなることもなく、ちゃんと予定した録音時間の録音を行なうことができる。
また、撮影時刻にしたがって撮影することにより、一定の時間間隔で撮影することができ、録音中の状況を全体に亘って撮影することができる。
【手続補正２４】
【補正対象書類名】明細書
【補正対象項目名】００３２
【補正方法】変更
【補正の内容】
【００３２】
請求項７記載の発明によれば、入力した予定録音時間に必要なデータ容量を確保して、残り記録容量を推定することができ、該推定された残り記録容量に基づいて、撮影枚数や撮影間隔などを算出することができる。
【手続補正２５】
【補正対象書類名】明細書
【補正対象項目名】００３３
【補正方法】変更
【補正の内容】
【００３３】
請求項８記載の発明によれば、ユーザは残りの撮影回数を視認することができる。
また、算出された撮影回数で撮影することにより、残り記録容量を意識しながら撮影しなくてすむ。
また、入力した予定録音時間が経過する前に残り記録容量が無くなることもなく、ちゃんと予定した録音時間の録音を行なうことができる。
【手続補正２６】
【補正対象書類名】明細書
【補正対象項目名】００３４
【補正方法】変更
【補正の内容】
【００３４】
請求項９記載の発明によれば、算出された撮影回数以上の撮影を行なうことがないので、確実に入力した予定録音時間分の録音を行なうことができる。
【手続補正２７】
【補正対象書類名】明細書
【補正対象項目名】００３５
【補正方法】変更
【補正の内容】
【００３５】
請求項１０記載の発明によれば、撮影可能枚数が多い場合には撮影可能枚数を制限することができ、記録手段の空き容量も確保することができる。
【手続補正２８】
【補正対象書類名】明細書
【補正対象項目名】００３６
【補正方法】変更
【補正の内容】
【００３６】
請求項１１記載の発明によれば、撮影間隔が短い場合には撮影間隔を制限することができ、記録手段の空き容量も確保することができる。
【手続補正２９】
【補正対象書類名】明細書
【補正対象項目名】００３７
【補正方法】変更
【補正の内容】
【００３７】
請求項１２記載の発明によれば、無音状態の場合には音データが記録されず、つまり、必要のないデータは記録されず、記録手段の空き容量を確保することができる。
また、再推定される記録手段の空き容量は多くなり、多くの撮影を行なうことができる。
【手続補正３０】
【補正対象書類名】明細書
【補正対象項目名】００３８
【補正方法】削除
【補正の内容】
【手続補正３１】
【補正対象書類名】明細書
【補正対象項目名】００３９
【補正方法】変更
【補正の内容】
【００３９】
請求項１３記載の発明によれば、適切な撮影回数を算出することができ、録音中に電池が切れたり、空き容量がなくなったりするという事態を防ぐことができる。
【手続補正３２】
【補正対象書類名】明細書
【補正対象項目名】００４０
【補正方法】変更
【補正の内容】
【００４０】
請求項１４記載の発明によれば、適切な撮影間隔を算出することができ、録音中に電池が切れたり、空き容量がなくなったりするという事態を防ぐことができる。
【手続補正３３】
【補正対象書類名】明細書
【補正対象項目名】００４１
【補正方法】変更
【補正の内容】
【００４１】
請求項１５記載の発明によれば、確実に、録音中に電池が切れるという事態を防ぐことができる。
【手続補正３４】
【補正対象書類名】明細書
【補正対象項目名】００４２
【補正方法】変更
【補正の内容】
【００４２】
請求項１６記載の発明によれば、デジタルカメラ、パソコン等に読み込ませることにより、本発明の撮像装置を実現することができる。
【手続補正３５】
【補正対象書類名】明細書
【補正対象項目名】００４３
【補正方法】変更
【補正の内容】
【００４３】
請求項１７記載の発明によれば、デジタルカメラ、パソコン等に読み込ませることにより、本発明の撮像装置を実現することができる。
【手続補正３６】
【補正対象書類名】明細書
【補正対象項目名】００４４
【補正方法】変更
【補正の内容】
【００４４】
以下、本実施の形態について、デジタルカメラに適用した一例として図面を参照して詳細に説明する。
[第１の実施の形態]
Ａ．デジタルカメラの構成
図１は、本発明の撮像装置を実現するデジタルカメラ１の電気的な概略構成を示すブロック図である。
デジタルカメラ１は、撮影レンズ２、レンズ駆動ブロック３、絞り兼用シャッタ４、ＣＣＤ５、ＴＧ（timing generator）６、ユニット回路７、ＤＲＡＭ８、メモリ９、ＣＰＵ１０、フラッシュメモリ１１、画像表示部１２、キー入力部１３、音声処理部１４、ストロボ駆動部１５、ストロボ発光部１６、カードＩ／Ｆ１７を備えており、カードＩ／Ｆ１７には、図示しないデジタルカメラ１本体のカードスロットに着脱自在に装着されたメモリ・カード１８が接続されている。
【手続補正３７】
【補正対象書類名】明細書
【補正対象項目名】００８７
【補正方法】変更
【補正の内容】
【００８７】
（９）また、上記第２の実施の形態及び上記（８）において、フラッシュメモリ１１の空き容量Ｂに基づいて算出した撮影可能枚数Ｄの撮影処理に必要な電池容量と、音声録音予定時間の録音処理に必要な電池容量との合計の電池容量Ｇが残り電池容量Ｆより大きい場合には、残り電池容量Ｆに基づいて撮影可能枚数Ｄの算出を行うようにしたが、残り電池容量Ｆに基づいて撮影可能枚数Ｄを算出することなく、単にユーザに対して音声録音予定時間の録音処理及び撮影処理に必要な電池容量がない旨のメッセージや充電を促す表示、残り電池容量で録音することができる録音時間や撮影することができる撮影枚数の表示、充電に必要な時間の表示、電池交換を促す表示などを行うようにしてもよい。
また、残り電池容量Ｆに基づいて算出した撮影可能枚数Ｄ分のデータ容量と、音声録音予定時間の録音処理に必要なデータ容量Ａとの和のデータ容量がフラッシュメモリ１１の空き容量Ｂより大きい場合には、フラッシュメモリ１１の空き容量Ｂに基づいて撮影可能枚数Ｄの算出を行うようにしたが、フラッシュメモリ１１の空き容量Ｂに基づいて撮影可能枚数Ｄを算出することなく、単にユーザに対して音声録音予定時間の録音処理及び撮影処理に必要な空き記録容量がフラッシュメモリ１１にない旨の表示、空き記録容量で録音することができる録音時間及び撮影することができる撮影枚数の表示、音声録音予定時間の録音処理及び撮影処理を行うためには、後どのくらいの空き記録容量が必要である旨を表示させるようにしてもよい。